(57)【要約】【課題】  コネクタのみで母基板への接続ができ、しかも、テレビジョン信号の取り込みから映像信号等の出力までの信号の流れの経路をコネクタを中心にして最短にして小型化を図る。【解決手段】  枠体１１における第１の側板１１ａのほぼ中央部に近接する回路基板１２上の位置にボード・トゥー・ボードコネクタ１３を配置し、第１の側板１１ａに隣接する第２の側板１１ｂ側に位置する回路基板１２の領域にはチューナ部１４を構成する入力同調回路１５ａ、高周波増幅回路１５ｂ、段間同調回路１５ｃ、混合回路１５ｄを第１の側板１１ａ側から第４の側板１１ｄ側に向かって順次配置し、第１の側板１１ａに隣接する第３の側板１１ｃ側に位置する回路基板１２の領域には中間周波回路部１７を構成するＳＡＷフィルタ１７ａ、復調回路１７ｂを第４の側板１１ｄ側から第１の側板１１ａ側に向かって順次配置した。【選択図】        図１
2005354147.tif 000002
【特許請求の範囲】
【請求項１】
金属板からなる方形の枠体と、前記枠体内に収納された回路基板と、テレビジョン信号を中間周波信号に変換するチューナ部と、前記中間周波信号を復調して映像信号及び音声信号を出力する中間周波回路部と、少なくとも前記テレビジョン信号の入力端子と前記映像信号の出力端子と前記音声信号の出力端子とを上面に備えた面実装型のボード・トゥー・ボードコネクタとを備え、前記枠体における第１の側板のほぼ中央部に近接する前記回路基板上の位置に前記ボード・トゥー・ボードコネクタを配置し、前記第１の側板に隣接する第２の側板側に位置する前記回路基板の領域には前記チューナ部を構成する入力同調回路、高周波増幅回路、段間同調回路、混合回路を前記第１の側板側から第４の側板側に向かって順次配置し、前記第１の側板に隣接する第３の側板側に位置する前記回路基板の領域には前記中間周波回路部を構成するＳＡＷフィルタ、復調回路を前記第４の側板側から前記第１の側板側に向かって順次配置したことを特徴とするテレビジョンチューナ。
【請求項２】
前記チューナ部はＵＨＦチューナ部とＶＨＦチューナ部とを有し、前記ＵＨＦチューナ部を前記第２の側板側に構成したことを特徴とする請求項１に記載のテレビジョンチューナ。
【請求項３】
前記チューナ部は前記混合回路に局部発振信号を供給する発振回路を有し、前記発振回路を構成する共振回路を前記混合回路が配置された領域よりも前記第４の側板側の領域に配置したことを特徴とする請求項１又は２に記載のテレビジョンチューナ。
【請求項４】
前記ボード・トゥ・ボードコネクタは前記各端子が列状に配列されてており、前記ボード・トゥ・ボードコネクタを前記各端子の配列の方向が前記第１の側板に平行となるように配置したことを特徴とする請求項１乃至３の何れかに記載のテレビジョンチューナ。
【請求項５】
前記チューナ部が配置された領域と前記中間周波回路部が配置された領域とに挟まれた領域に前記混合回路と前記ＳＡＷフィルタとの間に接続される中間周波同調回路を配置したことを特徴とする請求項１乃至４の何れかに記載のテレビジョンチューナ。
【請求項６】
前記回路基板をセラミック基板で構成し、前記チューナ部及び中間周波回路部における配線パターンと抵抗素子とを厚膜印刷により形成したことを特徴とする請求項１乃至５の何れかに記載のテレビジョンチューナ。
【発明の詳細な説明】
【技術分野】
【０００１】
本発明は、携帯機器等に好適なテレビジョンチューナに関する。
【背景技術】
【０００２】
従来のテレビジョンチューナを図２を参照して説明する。金属枠体１の内部は第三の側板１ｃとそれに対向する第四の側板１ｄとを橋絡するシールド板２によって第１の側板１ａ側の第一の区画領域１ｅと、第二の側板１ｂ側の第二の区画領域１ｆとに二分される。そして、第三の側板１ｃには第二の区画領域１ｆに対応する位置にテレビジョン信号を入力するためのコネクタ３が取り付けられる。また、金属枠体１内には回路を構成するための回路基板（図示せず）が収納される。
【０００３】
第二の区画領域１ｆにおける回路基板上には受信したテレビジョン信号を中間周波信号に周波数変換するチューナ部４が構成される。チューナ部４はアンテナ同調回路４ａ、高周波増幅回路４ｂ、段間同調回路４ｃ、発振回路４ｄ、ミキサ回路４ｅ等を有し、それぞれの回路は、ＮＴＳＣ方式あるいはＰＡＬ方式等の仕様に合わせて設定される。アンテナ同調回路４ａはコネクタ３に近接した位置に配設され、発振回路４ｄ及びミキサ回路４ｅは第四の側板１ｄ側の領域に配設される。
【０００４】
第一の区画領域１ｅにおける回路基板上には中間周波信号を検波して映像信号と音声信号とを出力する映像中間周波回路部５が構成される。映像中間周波回路部５はＳＡＷフィルタ５ａ、検波用ＩＣ（集積回路）５ｂ、発振回路５ｃ等を有し、それぞれの回路は、例えばＮＴＳＣ方式あるいはＰＡＬ方式等の仕様に合わせて設計される。ＳＡＷフィルタ５ａは第一の区画領域１ｅ内の第四の側板１ｄ側の領域に配設される。そして、第一の側板１ａには所定間隔で列状に配列された複数の端子６が取り付けられ、これらの端子６はチューナ部４や映像中間周波回路部５への電源供給用、チューナ部４への選局信号入力用、映像中間周波回路５からの映像信号、音声信号出力用となるものであり、チューナ部４及び映像中間周波回路部５に接続される。
【０００５】
よって、端子６が取り付けられた第一の側板１ａの面積の範囲内に第一の区画領域１ｅと第二の区画領域１ｆとが構成され、それぞれにチューナ部４と映像中間周波回路部５とが配設されるので、このチューナユニットを取り付けるためのテレビジョン受信機のマザー基板の面積を小さくすることができる。
また、第一の区画領域１ｅと第二の区画領域１ｆとはシールド板２によって区画されるので、チューナ部４と映像中間周波回路５との干渉が少なくなる。
【０００６】
以上の構成において、コネクタ３を介して入力されたテレビジョン信号は同調回路４ａ、４ｃや高周波増幅回路４ｂによって選択されると共に増幅され、ミキサ回路４ｅで中間周波信号に変換される。ミキサ回路４ｅから出力された中間周波信号はＳＡＷフィルタ５ａに入力され、次段の検波用ＩＣ（集積回路）５ｂで検波されて映像信号と音声信号とが出力される。そして、チューナ部４のミキサ回路４ｅと映像中間周波回路部５のＳＡＷフィルタ５ｃとが第四の側板１ｄ側の領域に配置しているので、その間を最短で接続できる。映像信号及び音声信号は端子６を介して出力される（例えば、特許文献１参照）。
【０００７】
【特許文献１】特許第３０９６１７３号公報（図１）
【発明の開示】
【発明が解決しようとする課題】
【０００８】
図２に示す従来のテレビジョンチューナは、テレビジョン信号を取り込むコネクタを金属枠体の一側板に取り付け、電源用の端子や出力端子等を別の側板に取り付けた、いわゆる母基板への立設型のテレビジョンチューナであり、これをそのまま小型化しても携帯電話機等の携帯機器に使用することは不可能であった。
【０００９】
本発明は、コネクタのみで母基板への接続ができ、しかも、テレビジョン信号の取り込みから映像信号等の出力までの信号の流れの経路をコネクタを中心にして最短にして小型化を図ることを目的とする。
【課題を解決するための手段】
【００１０】
上記課題を解決するため、本発明では、金属板からなる方形の枠体と、前記枠体内に収納された回路基板と、テレビジョン信号を中間周波信号に変換するチューナ部と、前記中間周波信号を復調して映像信号及び音声信号を出力する中間周波回路部と、少なくとも前記テレビジョン信号の入力端子と前記映像信号の出力端子と前記音声信号の出力端子とを上面に備えた面実装型のボード・トゥー・ボードコネクタとを備え、前記枠体における第１の側板のほぼ中央部に近接する前記回路基板上の位置に前記ボード・トゥー・ボードコネクタを配置し、前記第１の側板に隣接する第２の側板側に位置する前記回路基板の領域には前記チューナ部を構成する入力同調回路、高周波増幅回路、段間同調回路、混合回路を前記第１の側板側から第４の側板側に向かって順次配置し、前記第１の側板に隣接する第３の側板側に位置する前記回路基板の領域には前記中間周波回路部を構成するＳＡＷフィルタ、復調回路を前記第４の側板側から前記第１の側板側に向かって順次配置した。
【００１１】
また、前記チューナ部はＵＨＦチューナ部とＶＨＦチューナ部とを有し、前記ＵＨＦチューナ部を前記第２の側板側に構成した。
【００１２】
また、前記チューナ部は前記混合回路に局部発振信号を供給する発振回路を有し、前記発振回路を構成する共振回路を前記混合回路が配置された領域よりも前記第４の側板側の領域に配置した。
【００１３】
また、前記ボード・トゥ・ボードコネクタは前記各端子が列状に配列されてており、前記ボード・トゥ・ボードコネクタを前記各端子の配列の方向が前記第１の側板に平行となるように配置した。
【００１４】
また、前記チューナ部が配置された領域と前記中間周波回路部が配置された領域とに挟まれた領域に前記混合回路と前記ＳＡＷフィルタとの間に接続される中間周波同調回路を配置した。
【００１５】
また、前記回路基板をセラミック基板で構成し、前記チューナ部及び中間周波回路部における配線パターンと抵抗素子とを厚膜印刷により形成した。
【発明の効果】
【００１６】
請求項１の発明によれば、枠体における第１の側板のほぼ中央部に近接する回路基板上の位置にボード・トゥー・ボードコネクタを配置し、第１の側板に隣接する第２の側板側に位置する回路基板の領域にはチューナ部を構成する入力同調回路、高周波増幅回路、段間同調回路、混合回路を第１の側板側から第４の側板側に向かって順次配置し、第１の側板に隣接する第３の側板側に位置する回路基板の領域には中間周波回路部を構成するＳＡＷフィルタ、復調回路を第４の側板側から第１の側板側に向かって順次配置したので、テレビジョン信号はボード・トゥー・ボードコネクタの一端側からチューナ部に入力され、中間周波信号は第４の側板側でチューナ部から中間周波回路に入力され、最終的な出力信号である映像信号及び音声信号は第１の側板側でボード・トゥー・ボードコネクタの他端側に出力されるので、信号の流れに紆余曲折がなく各回路間を接続でき、伝送ロスを最小にできると共に小型化が図れる。
【００１７】
また、請求項２の発明によれば、チューナ部はＵＨＦチューナ部とＶＨＦチューナ部とを有し、ＵＨＦチューナ部を第２の側板側に構成したので、接地のために使用する第２の側板が近くなり、周波数の高いＵＨＦチューナ部の回路動作が安定になる。
【００１８】
また、請求項３の発明によれば、チューナ部は混合回路に局部発振信号を供給する発振回路を有し、発振回路を構成する共振回路を混合回路が配置された領域よりも第４の側板側の領域に配置したので、共振回路と他の回路とが離間して共振回路からの発振信号の放射による他の回路への妨害が軽減できる。
【００１９】
また、請求項４の発明によれば、ボード・トゥ・ボードコネクタは各端子が列状に配列されてており、ボード・トゥ・ボードコネクタを各端子の配列の方向が第１の側板に平行となるように配置したので、チューナ部の入力側及び中間周波回路部の出力側とを近づけることができる。
【００２０】
また、請求項５の発明によれば、チューナ部が配置された領域と中間周波回路部が配置された領域とに挟まれた領域に混合回路とＳＡＷフィルタとの間に接続される中間周波同調回路を配置したので、中間周波信号を最短の距離でチューナ部から中間周波回路部に供給できる。
【００２１】
また、請求項６の発明によれば、回路基板をセラミック基板で構成し、チューナ部及び中間周波回路部における配線パターンと抵抗素子とを厚膜印刷により形成したので、一層小型化が図れる。
【発明を実施するための最良の形態】
【００２２】
本発明のテレビジョンチューナを図１に従って説明する。金属板からなる方形の枠体１１は、第１乃至第４の側板１１ａ〜１１ｄを有し、第１の側板１１ａと第４の側板１１ｄとが対向し、第２の側板１１ｂと第３の側板１１ｃとが対向する。枠体１１内にはセラミック材料からなる回路基板１２が収納される。
【００２３】
枠体１１における第１の側板１１ａのほぼ中央部に近接する回路基板１２上の位置にボード・トゥー・ボードコネクタ（ｂｏｒａｄ−ｔｏ−ｂｏｒａｄコネクタ）１３が配置される。ボード・トゥー・ボードコネクタ１３は帯状の絶縁基台１３ａと、その側面に沿って列状に突出した複数の端子１３ｂとを有し、端子１３ｂの一部は絶縁基台１３ａの上面に露出している。そして、ボード・トゥー・ボードコネクタ１３は第１の側板１１ａに平行となるように配置されて各端子１３ｂは回路基板１２に形成された接続導体部（図示せず）に半田接続される。
【００２４】
ボード・トゥー・ボードコネクタ１３は雌型であり、このボード・トゥー・ボードコネクタ１３に嵌合する雄型のボード・トゥー・ボードコネクタ（図示せず）は図示しないマザー基板に取り付けられている。そして、テレビジョン信号はマザー基板側からボード・トゥー・ボードコネクタ１３を介して回路基板１２に取り込まれる。
【００２５】
回路基板１２上にはテレビジョン信号を中間周波信号に変換するチューナ部１４と中間周波信号を復調する中間周波回路１７とが構成される。チューナ部１４は第２の側板１１ｂ側に位置する回路基板１２の領域に構成される。また、中間周波回路部１７は第２の側板１１ｂに対向する第３の側板１１ｃ側に位置する回路基板１２の領域に構成される。
【００２６】
チューナ部１４はＵＨＦチューナ部１４とＶＨＦチューナ部１６とからなる。ＵＨＦチューナ部１４は、ＵＨＦ入力同調回路１４ａ、ＵＨＦ高周波増幅回路１４ｂ、ＵＨＦ段間同調回路１４ｃ、ＵＨＦ混合回路１４ｄ及びＵＨＦ発振回路１４ｅとを有する。
【００２７】
また、ＶＨＦチューナ部１６は、同様に、ＶＨＦ入力同調回路１６ａ、ＶＨＦ高周波増幅回路１６ｂ、ＶＨＦ段間同調回路１６ｃ、ＶＨＦ混合回路１６ｄ及びＶＨＦ発振回路１６ｅとを有する。このうち、ＵＨＦ高周波増幅回路１４ｂとＶＨＦ高周波増幅回路１６ｂとは同一の集積回路１４ａ内に構成される。また、ＵＨＦ混合回路１４ｄ及びＵＨＦ発振回路（共振回路は除かれる）１４ｅとＶＨＦ混合回路１６ｄ及びＶＨＦ発振回路（共振回路は除かれる）１６ｅとは同一の集積回路１４ｂ内に構成される。なお、この集積回路１４ｂ内にはＰＬＬ回路（図示せず）も構成される。
【００２８】
ＵＨＦ発振回路１４ｅに結合されるＵＨＦ共振回路１４ｆとＶＨＦ発振回路１６ｅに結合されるＶＨＦ共振回路１６ｆとは集積回路１４ｂの外部に設けられる。
【００２９】
そして、ＵＨＦチューナ部１４はＶＨＦチューナ部１６よりも第２の側板１１ｂ側寄りに構成され、第１の側板１１ａ側から第４の側板１１ｄ側に向かって、ＵＨＦ入力同調回路１４ａ、集積回路１４ａ、ＵＨＦ段間回路１４ｃ、ＵＨＦ共振回路１４ｆが順次配置される。また、ＵＨＦチューナ部１４が構成された領域に隣接してＶＨＦチューナ部１６が構成され、第１の側板１１ａ側から第４の側板１１ｄ側に向かって、ＶＨＦ入力同調回路１６ａ、ＶＨＦ段間回路１６ｃ、集積回路１６ｂ、ＶＨＦ共振回路１６ｆが順次配置される。集積回路１４ａが配置される位置は、第１及び第４の側板１１ａ、１１ｄに対してはＶＨＦ入力同調回路１６ａとＶＨＦ段間同調回路１６ｃとの中間の位置になっている。また、ＵＨＦ共振回路１５ｆは集積回路１４が配置された位置よりも第４の側板１１ｄ側に配置される。
【００３０】
一方、中間周波回路部１７は中間周波信号を取り込むＳＡＷフィルタ１７ａと、ＳＡＷフィルタ１７ａから出力された中間周波信号を復調する集積回路１７ｂとを有する。集積回路１７ｂ内には復調回路および復調に必要な周辺回路（同期検波用の発振回路等）が構成されている。集積回路１７ｂからは映像信号及び音声信号等が出力される。そして、ＳＡＷフィルタ１７ａは第４の側板１１ｄ側に配置され、集積回路１７ｂはそれよりも第１の側板１１ａ側に配置される。
【００３１】
また、ＶＨＦチューナ部１６が構成された領域と中間周波回路部１７が構成された領域とに挟まれた位置には中間周波同調回路１８が構成される。この中間周波同調回路１８はＵＨＦ混合回路１５ｄ及びＶＨＦ混合回路１６ｄとＳＡＷフィルタ１７ａの間に介挿されるものである。
【００３２】
そして、以上のように各回路が配置される領域には、各回路を構成するためのチップ型受動素子や能動素子及び集積回路がそれぞれ搭載され、各回路部品等の相互間を接続するための配線パターンや、バラツキの許容範囲の緩い抵抗素子等は厚膜印刷によって形成される。また、ＶＨＦチューナ部１６は、通常は同調回路をバンド切替方式として広い帯域を受信するが、ここでは、受信範囲を若干狭くすることで比バンド切替型の同調回路を採用している。その結果、縦、横厚みの寸法が１８ｍｍ×２５ｍｍ×３ｍｍという極めて小さなテレビジョンチューナを実現することが出来た。
【００３３】
また、ボード・トゥー・ボードコネクタ１３の最も第２の側板１１ｂ寄りの端子１３をテレビジョン信号の入力端子とすることで、チューナ部１４には最短の距離でテレビジョン信号を入力することができ、信号ロスと他の回路からの妨との回避に効果的である。そして、信号は矢印の方向に進み、中間周波信号は第４の側板１１ｄ側に出力されるので、これを最短の距離で中間周波回路部１７に入力できる。そして、ボード・トゥー・ボードコネクタ１３の最も第３の側板１１ｃ寄りの端子１３を出力端子とすることで、映像信号及び音声信号を最短の距離で出力できる。
【００３４】
以上の説明で明らかなように、テレビジョン信号はボード・トゥー・ボードコネクタ１３の一端側からチューナ部１４に入力され、中間周波信号は第４の側板１１ｄ側でチューナ部１４から中間周波回路１７に入力され、最終的な出力信号である映像信号及び音声信号は第１の側板１１ａ側でボード・トゥー・ボードコネクタ１３の他端側に出力されるので、信号の流れに紆余曲折がなくなり、伝送ロスを最小にできる。
【００３５】
また、周波数の高いＵＨＦチューナ部１５はＶＨＦチューナ部１６よりも第２の側板１１ｂ側に構成されているので、第２の側板１１ｂに対して接地し易くなり回路動作が安定する。
【図面の簡単な説明】
【００３６】
【図１】本発明のテレビジョンチューナの回路レイアウト図である。
【図２】従来のテレビジョンチューナの回路レイアウト図である。
【符号の説明】
【００３７】
１１：枠体
１１ａ：第１の側板
１１ｂ：第２の側板
１１ｃ：第３の側板
１１ｄ：第４の側板
１２：回路基板
１３：ボード・トゥー・ボードコネクタ
１４：チューナ部
１４ａ、１３ｂ：集積回路
１５：ＵＨＦチューナ部
１５ａ：ＵＨＦ入力同調回路
１５ｂ：ＵＨＦ高周波増幅回路
１５ｃ：ＵＨＦ段間同調回路
１５ｄ：ＵＨＦ混合回路
１５ｅ：ＵＨＦ発振回路
１５ｆ：ＵＨＦ共振回路
１６：ＶＨＦチューナ部
１６ａＶＨＦ入力同調回路
１６ｂ：ＶＨＦ高周波増幅回路
１６ｃ：ＶＨＦ段間同調回路
１６ｄ：ＶＨＦ混合回路
１６ｅ：ＶＨＦ発振回路
１６ｆ：ＶＨＦ共振回路
１７：中間周波回路部
１７ａ：ＳＡＷフィルタ
１７ｂ：集積回路
１８：中間周波同調回路
【図１】
2005354147.tif 000003
【図２】
2005354147.tif 000004